(57)【特許請求の範囲】
【請求項１】
発熱体を内蔵した本体と、前記発熱体の温度を制御する制御回路を内装し、上、下部制御ケースからなる制御ケースと、前記上部制御ケースの上面から側面に沿って形成された曲面状の凹形状部に左右スライド自在に配置され、かつ上、下部制御ケースの接合部位から前記制御ケースの内部に延び、前記制御回路の操作部に連係する連結板を一体的に有する曲面状の操作つまみとを備え、前記上部制御ケースの凹形状部における反側面側の上方には左右方向に溝部を凹設して、前記操作つまみより下方へ突設させた左右方向直線状で、しかも先端をＲ形状に設定した凸形状部を嵌合させ、さらに、前記溝部の深さを部分的に変化させた面状採暖具。
【発明の詳細な説明】
【０００１】
【発明の属する技術分野】
本発明は、電気カーペット等の面状採暖具に関するものである。
【０００２】
【従来の技術】
従来、この種の面状採暖具は、図５に示すような構成となっているのが一般的で、操作つまみが設けられているが、その取り付位置は商品の性質から制御ケースの上面及び側面に配置したものが多く見受けられる（特許文献１参照）。図５は前記文献１に記載された従来の面状採暖具の制御ケースを示すものである。図５において、１は上部制御ケースであり、２は下部制御ケース、３は操作つまみである。なお、操作つまみ３は上部制御ケース１と下部制御ケース２との間に挟まれた構成となっており、制御回路４上の切替スイッチ５のつまみ部６を作動させるための連結板７を一体として成形したものである。また、操作つまみ３は矢印の方向にスライドする構成となっており、これに伴い連結板７を介して切替スイッチ５のつまみ部６を作動させる構成となっていた。
【０００３】
【特許文献１】
実開平６−３１０４０号公報（第６図）
【０００４】
【発明が解決しようとする課題】
しかしながら、前記従来の構成では、操作つまみ３は上部制御ケース１と下部制御ケース２との間に挟まれた構成となっているため、制御ケース８の組立時に操作つまみ３を上部制御ケース１に仮固定できず、図６の矢印の方向に脱落するという問題があった。
【０００５】
また、操作つまみ３は上部制御ケース１と下部制御ケース２との間に挟まれただけの構成なので制御ケース８の組立後においても操作つまみ３がガタツクため操作がスムーズに行えないという問題があった。
【０００６】
さらに、図５に示すような特に湾曲した操作つまみ３の場合、使用者が誤って操作つまみ３を踏みつけた場合、操作つまみ３が容易に折れて脱落するという問題があった。
【０００７】
一方、図７に示すように、上部制御ケース１に操作つまみ３を仮固定する構成として、上部制御ケース１から操作つまみ３が脱落しないように、押え板９を用いて操作つまみ３を上部制御ケース１と押え板９の間に挟みビス１０で止める方法があった。しかしこの方法では押え板９やビス１０などの別部品が必要でありコストアップや、組立時に時間を要するという問題があった。
【０００８】
本発明は、前記従来の課題を解決するもので、制御ケース組立時における組立作業を容易にする面状採暖具を提供することを目的とする。
【０００９】
【課題を解決するための手段】
前記従来の課題を解決するために、本発明の面状採暖具は、発熱体を内蔵した本体と、前記発熱体の温度を制御する制御回路を内装し、上、下部制御ケースからなる制御ケースと、前記上部制御ケースの上面から側面に沿って形成された曲面状の凹形状部に左右スライド自在に配置され、かつ上、下部制御ケースの接合部位から前記制御ケースの内部に延び、前記制御回路の操作部に連係する連結板を一体的に有する曲面状の操作つまみとを備え、前記上部制御ケースの凹形状部における反側面側の上方には左右方向に溝部を凹設して、前記操作つまみより下方へ突設させた左右方向直線状で、しかも先端をＲ形状に設定した凸形状部を嵌合させ、さらに、前記溝部の深さを部分的に変化させたものである。
【００１０】
これによって、制御ケース組立時において上部制御ケースに操作つまみを装着する際は、別部品を使用しないで組立作業を容易にすることができる。
【００１１】
【発明の実施の形態】
本発明は、発熱体を内蔵した本体と、前記発熱体の温度を制御する制御回路を内装し、上、下部制御ケースからなる制御ケースと、前記上部制御ケースの上面から側面に沿って形成された曲面状の凹形状部に左右スライド自在に配置され、かつ上、下部制御ケースの接合部位から前記制御ケースの内部に延び、前記制御回路の操作部に連係する連結板を一体的に有する曲面状の操作つまみとを備え、前記上部制御ケースの凹形状部における反側面側の上方には左右方向に溝部を凹設して、前記操作つまみより下方へ突設させた左右方向直線状で、しかも先端をＲ形状に設定した凸形状部を嵌合させ、さらに、前記溝部の深さを部分的に変化させたもので、制御ケース組立時において、別部品を使用しないで上部制御ケースに操作つまみを仮固定でき、組立作業を容易にすることができる。
【００１２】
また、操作つまみに設けた凸形状部を線状に設けることにより、使用者が操作つまみを操作する際、スライドのガイドの働きをするため操作つまみのガタツキを抑制し操作をスムーズに行うことができる。
【００１３】
さらに、凸形状部の先端をＲ形状にすることにより、操作つまみに設けた凸形状部と上部制御ケースに設けた溝部が線接触となるため操作つまみの抵抗が少なくなりスムーズに操作することができる。
【００１４】
加えて、溝部の深さを部分的に変化させることにより、例えば電源の入・切の間で深さを変化させることにより、入・切の間で操作つまみにクリック感を持たすことができ、使用者が切から入など操作の状態が変ったことを容易に理解することができる。
【００１５】
【実施例】
以下、本発明の実施例について、図面を参照しながら説明する。
【００１６】
（実施例１）
図１は本発明の実施例１における面状採暖具の平面図であり、図２は制御ケースの断面図、図３は操作つまみの裏面斜視図で、図４は上部制御ケースの部分断面図を示したものである。図１に示されているように、表材１１と発熱体１２と軟質発泡体１３と裏材１４とを積層し、本体１５を構成している。また、発熱体１２の温度を制御する制御回路４は上部制御ケース１、下部制御ケース２により構成された制御ケース８に内装されており、本体１５の端面部に取り付けられている。
【００１７】
さらに、電源の入・切や前記発熱体１２の温度を調整する操作つまみ３は上部制御ケース１の端面の一部を切欠いて凹形状部１６形成し、その部分に操作つまみ３を嵌め込み、図２に示すように上部制御ケース１に設けた溝部１７に操作つまみ３に設けた凸形状部１８が嵌合する構成となっており、制御回路４上の切替スイッチ５のつまみ部６を作動させるための連結板７を一体として成形したものである。
【００１８】
次に、以上のように構成された面状採暖具について、その動作、作用を説明する。まず、制御ケース８の組立時に操作つまみ３を上部制御ケース１の端面の一部を切欠いた凹部１６に嵌め込むと、上部制御ケース１に設けた溝部１７に操作つまみ３に設けた凸形状部１８が嵌合するため、別部品を使用しないで脱落することなく上部制御ケース１に操作つまみ３を仮固定することができる。
【００１９】
なお、本実施例において、図３に示すように本実施例の操作つまみ３の凸形状部１８を線状に設けることにより、使用者が操作つまみ３を操作するときのスライドのガイドの働きをするため操作つまみ３のガタツキを抑制し操作をスムーズに行うことができる。
【００２０】
また、操作つまみ３に設けた凸形状部１８の先端をＲ形状にすることにより、操作つまみ３に設けた凸形状部１８と上部制御ケース１に設けた溝部１７が線接触となるため操作つまみ３の抵抗が少なくスムーズに操作することができる。
【００２１】
また、図４に示すように上部制御ケース１に設けた溝部１７の入口部１９をＲ形状とすることにより、掃除の時などに手を切る心配が少なくなり、さらに溝部１７にたまるホコリなどの掃除がしやすくなる。
【００２２】
さらに、本実施例の上部制御ケース１に設けた溝部１７の深さを部分的変化させることにより（図示せず）、例えば電源の切、入の間で溝部１７を浅くすることにより、操作つまみ３の凸形状部１８がその部分をスライドする時に抵抗となり、入・切の間で操作つまみ３にクリック感を持たすことができ、使用者が切から入など操作の状態が変ったことを容易に理解することができ、さらには使用者が操作しない時に勝手に電源が入ったり、切れたりするのを防止することができる。
【００２３】
【発明の効果】
以上のように、本発明によれば、制御ケース組立時に上部制御ケースに操作つまみを組込む際には別部品を使用しないで仮固定でき、組立作業を容易にすることができる。また、操作つまみが容易に折れて脱落し、踏みつけなどでそれが破損するのを防止することができる。
【図面の簡単な説明】
【図１】  本発明の実施例１における面状採暖具の部分断面平面図
【図２】  同面状採暖具の制御ケースの部分断面図
【図３】  同面状採暖具の操作つまみの裏面側から視た斜視図
【図４】  同面状採暖具の上部制御ケースの部分断面斜視図
【図５】  従来の面状採暖具の部分断面斜視図
【図６】  同面状採暖具の使用状態を示す部分断面斜視図
【図７】  同面状採暖具の上部制御ケースを裏面側から視た部分斜視図
【符号の説明】
１  上部制御ケース
２  下部制御ケース
３  操作つまみ
４  制御回路
８  制御ケース
１２  発熱体
１５  本体
１６  凹形状部
１７  溝部
１８  凸形状部
１９  入口部
【図１】
0004107132.tif 000002
【図２】
0004107132.tif 000003
【図３】
0004107132.tif 000004
【図４】
0004107132.tif 000005
【図５】
0004107132.tif 000006
【図６】
0004107132.tif 000007
【図７】
0004107132.tif 000008